(57)【要約】【課題】  特定通信者間ファクシミリ通信システムに、確実な機密性を備えさせる。【解決手段】  本発明のファクシミリ通信システムは送信元にあるファクシミリ機と送信先にある通信用サーバを含む。ファクシミリ機及び通信用サーバは公衆回線に接続する。ファクシミリ機から通信用サーバへの通信にて、送信元電話番号通知サービスが利用され拠ってファクシミリ機の伝送データにはファクシミリ機回線の電話番号が付与される。通信用サーバ記憶部には、データ送信を許容されるファクシミリ機回線の電話番号と、ファクシミリ機のＴＳＩ信号とをデータとして有する対応テーブルが記録され、通信用サーバは、ファクシミリ機の伝送データに含まれる電話番号及びＴＳＩ信号を対応テーブルと比較参照し、対応テーブル内に存在する場合と、対応テーブル内に存在しない場合とを、区別するデータを、ファクシミリ機の伝送データに付与する。【選択図】図１
2005278142.tif 000002
【特許請求の範囲】
【請求項１】
一つ又は複数の送信元に設置されるファクシミリ機と、
送信先に設置される通信用サーバ及びデータベースサーバとを含み、
上記ファクシミリ機及び上記通信用サーバは、公衆回線に接続し、
上記ファクシミリ機から上記通信用サーバへの通信にて、電話通信網供給者による送信元電話番号通知サービスが利用され拠って上記ファクシミリ機からの伝送データにはファクシミリ機回線の電話番号が付与されている、ファクシミリ通信システムにおいて、
上記通信用サーバの記憶部に、データ送信が許容されるファクシミリ機回線の電話番号と、それらファクシミリ機の個々に対応するＴＳＩ信号とをデータとして有する第１の対応テーブルを記録しておき、
上記通信用サーバにて、上記ファクシミリ機からの伝送データに含まれる電話番号及びＴＳＩ信号を、上記第１の対応テーブルと比較参照し、
上記ファクシミリ機からの伝送データに含まれる電話番号及びＴＳＩ信号が、上記第１の対応テーブル内に存在し且つ対応付けられている場合と、上記第１の対応テーブル内に存在しない又は対応付けられていない場合とを、区別するデータを上記ファクシミリ機からの伝送データに付与し、付与後データベースサーバのデータベースに記録する、
ファクシミリ通信方法。
【請求項２】
一つ又は複数の送信元に設置されるファクシミリ機と、
送信先に設置される通信用サーバ及びデータベースサーバとを含み、
上記ファクシミリ機及び上記通信用サーバは、公衆回線に接続し、
上記ファクシミリ機から上記通信用サーバへの通信にて、電話通信網供給者による送信元電話番号通知サービスが利用され拠って上記ファクシミリ機からの伝送データにはファクシミリ機回線の電話番号が付与され、更に、着信先振り分けサービスシステムが利用され拠って送信元からの通信時の入力データにより送信先の着信先が振り分けられる、ファクシミリ通信システムにおいて、
上記ファクシミリ機からの伝送データに含まれる電話番号が上記通信用サーバへのデータ送信を許容されるものか否かを、
上記着信先振り分けサービスシステムにて、予め格納された電話番号データから判断し、
許容されるものであれば上記通信用サーバへデータ送信し、許容されないものであれば送信先に設置される所定のデータ受信端末機にデータ送信し、
上記通信用サーバの記憶部に、データ送信が許容されるファクシミリ機に対応するＴＳＩ信号をデータとして有する第１の対応テーブルを記録しておき、
上記通信用サーバにて、上記着信先振り分けサービスシステムを介した上記ファクシミリ機からの伝送データに含まれるＴＳＩ信号を、上記第１の対応テーブルと比較参照し、
上記ファクシミリ機からの伝送データに含まれるＴＳＩ信号が、上記第１の対応テーブル内に存在する場合と、上記第１の対応テーブル内に存在しない場合とを、区別するデータを上記ファクシミリ機からの伝送データに付与し、付与後データベースサーバのデータベースに記録する、
ファクシミリ通信方法。
【請求項３】
一つ又は複数の送信元に設置されるファクシミリ機と、
送信先に設置される通信用サーバ及びデータベースサーバとを含み、
上記ファクシミリ機及び上記通信用サーバは、公衆回線に接続し、
上記ファクシミリ機から上記通信用サーバへの通信にて、電話通信網供給者による送信元電話番号通知サービスが利用され拠って上記ファクシミリ機からの伝送データにはファクシミリ機回線の電話番号が付与され、更に、着信先振り分けサービスシステムが利用され拠って送信元からの通信時の入力データにより送信先の着信先が振り分けられる、ファクシミリ通信システムにおいて、
上記ファクシミリ機からの伝送データに含まれる電話番号と、上記着信先振り分けサービスシステムのガイダンスにより入力される暗証番号との組み合わせが、上記通信用サーバへのデータ送信を許容されるものか否かを、
上記着信先振り分けサービスシステムにて、予め格納された電話番号データ及び暗証番号データから判断し、
許容されるものであれば上記通信用サーバへデータ送信し、許容されないものであれば送信先に設置される所定のデータ受信端末機にデータ送信し、
上記通信用サーバの記憶部に、データ送信が許容されるファクシミリ機に対応するＴＳＩ信号をデータとして有する第１の対応テーブルを記録しておき、
上記通信用サーバにて、上記着信先振り分けサービスシステムを介した上記ファクシミリ機からの伝送データに含まれるＴＳＩ信号を、上記第１の対応テーブルと比較参照し、
上記ファクシミリ機からの伝送データに含まれるＴＳＩ信号が、上記第１の対応テーブル内に存在する場合と、上記第１の対応テーブル内に存在しない場合とを、区別するデータを上記ファクシミリ機からの伝送データに付与し、付与後データベースサーバのデータベースに記録する、
ファクシミリ通信方法。
【請求項４】
上記通信用サーバが、光学式文字読み取り機能を備え、
上記ファクシミリ機からの伝送データがその光学式文字読み取り機能に対応するフォーマットである場合に、その光学式文字読み取り機能により上記伝送データをテキストデータに変換する、
請求項１乃至請求項３のうちのいずれか一つに記載のファクシミリ通信方法。
【発明の詳細な説明】
【技術分野】
【０００１】
本発明は、ファクシミリ機からの通信システムに関する。
【背景技術】
【０００２】
ファクシミリ機からのデータを、ＬＡＮ（Ｌｏｃａｌ  Ａｒｅａ  Ｎｅｔｗｏｒｋ）に組み込まれたサーバ（以下、ＦＡＸサーバという。）を介して取り込む場合に、ＦＡＸサーバに付与されたＯＣＲ（Ｏｐｔｉｃａｌ  Ｃｈａｒａｃｔｅｒ  Ｒｅａｄｅｒ：光学式文字読み取り）機能を利用してデータを取り込む技術（ＦＡＸ−ＯＣＲ）が今日利用されている。この技術は、ファクシミリ機にて光学的に読み取られ伝送されてきたデータにつき、ＦＡＸサーバにおいて、テキストデータに変換するものである。かような技術は、例えば、商品の受発注を行う際の迅速化・自動化の要請に応える。また、取り込まれた上記データは、例えば、ＬＡＮに接続されるデータベースサーバ（ＤＢサーバ）のデータベースに記録される。
【０００３】
ところで、医薬品としての麻薬等のような、取り扱いに対する規制（麻薬及び向精神薬取締法等）が厳しい品物を受注発注する際には、確実性・厳密性・機密性（排他性）が不可欠と言える。通常、これらの受注発注においては、確実性・厳密性・機密性（排他性）を保証するために、遣り取りを認証する書面に拠って取引が進められる。しかし、一方において、そもそも医薬品であるから、それらは、具体的な場所（病院など）で適時に適切な量が要請される。つまり、やはり迅速性の要請も強い。
【０００４】
上記のような商取引にて確実性・厳密性・機密性（排他性）の要請と迅速性の要請との両方を満たす受注発注情報の遣り取りの手段として、ＦＡＸ−ＯＣＲと送信元電話番号通知サービスを組み合わせたものが想定できる。つまり、卸会社等の発注会社から元卸会社等の受注会社にファクシミリを介して麻薬の発注がある場合に、送信元電話番号通知サービスを利用して登録されたファクシミリ回線の電話番号（ｆａｘ番号）をコンピュータ（サーバ）で自動的に認証すれば、受注会社は発注情報を機密性、確実性、厳密性及び迅速性を充足して取得することができるとも言える。
【０００５】
なお、上記の送信元電話番号通知サービスとして、東西日本電信電話株式会社の提供する「ナンバーディスプレイ」が挙げられる。
【０００６】
しかし、上記の方法では、受注会社のコンピュータ（サーバ）に登録される電話番号を自動的に認証して受注するのであれば、誰でも麻薬の発注ができることになってしまう。例えば、発注会社において、発注部署のみならず他の部署にもファクシミリ機が置かれ且つ一つの電話番号が付されている場合、発注責任者の管理の範囲外で発注されてしまう、という事態の発生も考えられる。
【０００７】
つまり、取り扱いに対する規制が厳しい品物を受注発注する際にＦＡＸ−ＯＣＲと送信元電話番号通知サービスとを組み合わせる手段を利用することは、上記の要請のうち、特に機密性（排他性）を十分には充足すると言えない。
【発明の開示】
【発明が解決しようとする課題】
【０００８】
本発明は、特定の通信者間でのファクシミリによる通信システムに、確実性・厳密性・機密性（排他性）を同時に備えさせることを目的とする。
【課題を解決するための手段】
【０００９】
本発明は上記の目的を達成するために為されたものである。本発明に係るファクシミリ通信システムは、
一つ又は複数の送信元に設置されるファクシミリ機と、
送信先に設置される通信用サーバ及びデータベースサーバとを含み、
上記ファクシミリ機及び上記通信用サーバは、公衆回線に接続し、
上記ファクシミリ機から上記通信用サーバへの通信にて、電話通信網供給者による送信元電話番号通知サービスが利用され拠って上記ファクシミリ機からの伝送データにはファクシミリ機回線の電話番号が付与されている、ファクシミリ通信システムである。
具体的には、下記の通りである。
［１］
一つ又は複数の送信元に設置されるファクシミリ機と、
送信先に設置される通信用サーバ及びデータベースサーバとを含み、
上記ファクシミリ機及び上記通信用サーバは、公衆回線に接続し、
上記ファクシミリ機から上記通信用サーバへの通信にて、電話通信網供給者による送信元電話番号通知サービスが利用され拠って上記ファクシミリ機からの伝送データにはファクシミリ機回線の電話番号が付与されている、ファクシミリ通信システムにおいて、
上記通信用サーバの記憶部には、データ送信が許容されるファクシミリ機回線の電話番号と、それらファクシミリ機の個々に対応するＴＳＩ信号とをデータとして有する第１の対応テーブルが記録され、
上記通信用サーバは、上記ファクシミリ機からの伝送データに含まれる電話番号及びＴＳＩ信号を、上記第１の対応テーブルと比較参照し、
上記ファクシミリ機からの伝送データに含まれる電話番号及びＴＳＩ信号が、上記第１の対応テーブル内に存在し且つ対応付けられている場合と、上記第１の対応テーブル内に存在しない又は対応付けられていない場合とを、区別するデータを上記ファクシミリ機からの伝送データに付与し、付与後データベースサーバのデータベースに記録する、
ファクシミリ通信システム。
【００１０】
［２］
一つ又は複数の送信元に設置されるファクシミリ機と、
送信先に設置される通信用サーバ及びデータベースサーバとを含み、
上記ファクシミリ機及び上記通信用サーバは、公衆回線に接続し、
上記ファクシミリ機から上記通信用サーバへの通信にて、電話通信網供給者による送信元電話番号通知サービスが利用され拠って上記ファクシミリ機からの伝送データにはファクシミリ機回線の電話番号が付与され、更に、着信先振り分けサービスシステムが利用され拠って送信元からの通信時の入力データにより送信先の着信先が振り分けられる、ファクシミリ通信システムにおいて、
上記ファクシミリ機からの伝送データに含まれる電話番号が上記通信用サーバへのデータ送信を許容されるものか否かを、
上記着信先振り分けサービスシステムが、予め格納された電話番号データから判断し、
許容されるものであれば上記通信用サーバへデータ送信し、許容されないものであれば送信先に設置される所定のデータ受信端末機にデータ送信し、
上記通信用サーバの記憶部には、データ送信が許容されるファクシミリ機に対応するＴＳＩ信号をデータとして有する第１の対応テーブルが記録され、
上記通信用サーバは、上記着信先振り分けサービスシステムを介した上記ファクシミリ機からの伝送データに含まれるＴＳＩ信号を、上記第１の対応テーブルと比較参照し、
上記ファクシミリ機からの伝送データに含まれるＴＳＩ信号が、上記第１の対応テーブル内に存在する場合と、上記第１の対応テーブル内に存在しない場合とを、区別するデータを上記ファクシミリ機からの伝送データに付与し、付与後データベースサーバのデータベースに記録する、
ファクシミリ通信システム。
【００１１】
［３］
一つ又は複数の送信元に設置されるファクシミリ機と、
送信先に設置される通信用サーバ及びデータベースサーバとを含み、
上記ファクシミリ機及び上記通信用サーバは、公衆回線に接続し、
上記ファクシミリ機から上記通信用サーバへの通信にて、電話通信網供給者による送信元電話番号通知サービスが利用され拠って上記ファクシミリ機からの伝送データにはファクシミリ機回線の電話番号が付与され、更に、着信先振り分けサービスシステムが利用され拠って送信元からの通信時の入力データにより送信先の着信先が振り分けられる、ファクシミリ通信システムにおいて、
上記ファクシミリ機からの伝送データに含まれる電話番号と、上記着信先振り分けサービスシステムのガイダンスにより入力される暗証番号との組み合わせが、上記通信用サーバへのデータ送信を許容されるものか否かを、
上記着信先振り分けサービスシステムが、予め格納された電話番号データ及び暗証番号データから判断し、
許容されるものであれば上記通信用サーバへデータ送信し、許容されないものであれば送信先に設置される所定のデータ受信端末機にデータ送信し、
上記通信用サーバの記憶部には、データ送信が許容されるファクシミリ機に対応するＴＳＩ信号をデータとして有する第１の対応テーブルが記録され、
上記通信用サーバは、上記着信先振り分けサービスシステムを介した上記ファクシミリ機からの伝送データに含まれるＴＳＩ信号を、上記第１の対応テーブルと比較参照し、
上記ファクシミリ機からの伝送データに含まれるＴＳＩ信号が、上記第１の対応テーブル内に存在する場合と、上記第１の対応テーブル内に存在しない場合とを、区別するデータを上記ファクシミリ機からの伝送データに付与し、付与後データベースサーバのデータベースに記録する、
ファクシミリ通信システム。
【００１２】
［４］
上記通信用サーバが、光学式文字読み取り機能を備え、
上記ファクシミリ機からの伝送データがその光学式文字読み取り機能に対応するフォーマットである場合に、その光学式文字読み取り機能により上記伝送データをテキストデータに変換する、
［１］乃至［３］のうちのいずれか一つに記載のファクシミリ通信システム。
【００１３】
［５］
上記［１］〜［４］のいずれか一つに記載のファクシミリ通信システムを利用するファクシミリ通信方法。
【発明の効果】
【００１４】
本発明を利用することにより、特定の通信者間でのファクシミリによる通信システムにおいて、機密性（排他性）を向上させることができる。特に通信を認可しあう通信者間の通信にて、それらの者以外の者の干渉や介入を確実に排除することができる。
【発明を実施するための最良の形態】
【００１５】
以下、図面を参照して、本発明に係る好適な実施形態を説明する。
【００１６】
≪第１の実施形態≫
図２は、本発明の第１の実施形態に係るファクシミリ通信システム２の全体の概要を表すブロック図である。図において、複数の送信元に置かれるファクシミリ機４から公衆回線６を経由して、送信先にファクシミリ通信データが送られる。送信先では、先ず、ファクシミリ機からの通信データを受け取るサーバ（以下、ＦＡＸサーバと言う。）８が、それら通信データを受ける。
【００１７】
ＦＡＸサーバ８は、以下に述べるように、必須の送信認可の処理を行う。処理後、ＦＡＸサーバ８は、送信先において構成されているＬＡＮ１６へデータを渡す。ＬＡＮ１６は、パソコン１０、データベースサーバ（以下、ＤＢサーバと言う。）１２、及びプリンタ１４などから構成される。
【００１８】
ところで、第１の実施形態におけるＦＡＸサーバ８にはＯＣＲ機能が備わる。よって、ファクシミリ機４からの通信データがそのＯＣＲ機能に対応するフォーマットであれば、ＦＡＸサーバ８のＯＣＲ機能によりそれら通信データはコンパクトで利便性の高いテキストデータに変換される。変換されたテキストデータは、ＤＢサーバ１２（のデータベース）に格納できる。格納されたテキストデータは、パソコン１０で閲覧・修正することができるし、プリンタ１４から適当な用紙フォーマットに従って印字できる。
【００１９】
一方で、ファクシミリ機４からの通信データは、以下に述べる必須の送信認可の処理のみ受け、ＯＣＲ機能による変換を受けず、そのままＤＢサーバ１２に格納されることも可能であるし、プリンタ１４から印字出力されることも可能である。
【００２０】
次に、ＦＡＸサーバ８における送信認可の処理を図１により説明する。図１は、ファクシミリ通信データと、以下に示す第１の対応テーブルとの関連を示す模式図である。
【００２１】
図１に示すように、ＦＡＸサーバ８に付属する記憶部１８には、
・送信を認められるファクシミリ回線の電話番号と、
・送信を認められるファクシミリ機のＴＳＩと
を示す第１の対応テーブル２０が予め記録されている。
【００２２】
ここで、第１の実施の形態は、電話通信会社が提供する“送信元電話番号通知サービス”を利用する。よって、ファクシミリ通信データ２２の頭部分には、電話番号のデータが付加されている。また、「ＴＳＩ」は、“Ｔｒａｎｓｍｉｔｔｉｎｇ  Ｓｕｂｓｃｒｉｂｅｒ  Ｉｄｅｎｔｉｆｉｃａｔｉｏｎ”の略であり、送信元ファクシミリ機のＩＤを示す。このＴＳＩ信号は、ファクシミリ機利用者が任意に設定し得るものであり、且つ、ファクシミリ通信データ２２に標準的に包含されている。
【００２３】
従って、第１の対応テーブル２０には、どの電話番号からの通信データの送信が認められるか、更に送信が認められる電話番号において設置されているべきファクシミリ機（のＩＤ）が何か、に係るデータが格納されている。この第１の対応テーブル２０を利用すればファクシミリ通信データにつき、電話番号とＴＳＩ信号とで二重の認証をかけることができる。
【００２４】
図３は、ＦＡＸサーバ８における送信認可の処理を表す概略のフローチャートである。まず、ＦＡＸサーバ８がファクシミリ通信データを受信すれば（Ｓ０２）、その電話番号を読み取る（Ｓ０４）。ＦＡＸサーバ８は、この電話番号が第１の対応テーブル２０に存在するか否かを確認する（Ｓ０６）。存在しなければ（Ｓ０６・Ｎｏ）、対象外の電話回線からのデータであることを示すエラーコードを付与して（Ｓ０８）、ＬＡＮ１６へ送信する（Ｓ１８）。
【００２５】
電話番号が第１の対応テーブル２０に存在すれば（Ｓ０６・Ｙｅｓ）、続いてそのファクシミリ通信データに標準的に包含されるＴＳＩ信号が確認される（Ｓ０８）。ＦＡＸサーバ８は、このＴＳＩ信号が電話番号に対応するものであるか否かを、第１の対応テーブル２０より確認する（Ｓ１２）。対応しなければ（Ｓ１２・Ｎｏ）、対象外のファクシミリからのデータであることを示すエラーコードを付与して（Ｓ１４）、ＬＡＮ１６へ送信する（Ｓ１８）。
【００２６】
対応するのであれば（Ｓ１２・Ｙｅｓ）、データの送信元が正しいことを認証するデータを、ファクシミリ通信データに付与して（Ｓ１６）、ＬＡＮ１６へ送信する（Ｓ１８）。
【００２７】
ファクシミリ通信データは、図３のようにＬＡＮ１６へ送信された後、ＤＢサーバ１２に格納される。
【００２８】
ＦＡＸサーバ８において、ＯＣＲ機能によるテキストデータの変換は、図３の処理の前に為されても、後に為されてもいずれでもよい。また、第１の対応テーブル２０は予め作成されている。ＬＡＮ１６に接続するパソコン１０から、内容を更新（登録、修正、削除など）できるのが好ましい。
【００２９】
≪第２の実施形態≫
図５は、本発明の第２の実施形態に係るファクシミリ通信システム２の全体の概要を表すブロック図である。図４は、第２の実施形態における、ファクシミリ通信データ、ルーティングシステム２４、ＦＡＸサーバ８、及び第１の対応テーブル２０の関連を示す模式図である。第２の実施形態に係るファクシミリ通信システムは、第１の実施形態に係るファクシミリ通信システムと略同様のものでる。よって同一部位には同一符号を付して説明を略し、両者の差異を中心に以下説明する。
【００３０】
この第２の実施形態では、着信先振り分けサービスを用いる。この“着信先振り分けサービス”の代表的なものとして、ＮＴＴコミュニケーションズ株式会社の提供するサービスである“フリーダイヤルインテリジェントサービス”のルーティング機能、受注会社内のマルチビジネスシステム（ＰＢＸ）を用いたルーティング機能等が挙げられる。このルーティング機能のうち、第２の実施形態では、特に、送信元電話番号に対応した着信先を設定するルーティングを利用する。また、送信元からガイダンスに従って入力された数字（番号）に対応した着信先を設定するルーティングを併せて利用することもできる。図４及び図５では、ルーティングシステム２４がこれらルーティング機能を行う。
【００３１】
図５において、送信元に置かれるファクシミリ機４から公衆回線６を経由して、送信先にファクシミリ通信データが送られる。この第２の実施形態では、送信先に送られるファクシミリ通信データは、ルーティングシステム２４の経由を経てから、送信先のＦＡＸサーバ８に到達する。
【００３２】
次に、ルーティングシステム２４及びＦＡＸサーバ８における送信認可の処理を、図４により説明する。
【００３３】
上記第２の実施形態では、ＦＡＸサーバ８にて、第１の対応テーブル２０を利用してファクシミリ通信データにつきＴＳＩ信号とによる認証を行う。一方、第２の実施形態では、電話番号による認証をルーティングシステム２４に担わせる。更にルーティングシステム２４は、“暗証番号”による認証も行う。
【００３４】
なお、ここでの“暗証番号”は、機密性（排他性）向上のため、各ファクシミリ電話番号に割り当てられる番号であって、ルーティングシステム２４での処理時に要求される番号である。
【００３５】
図４にて示していないが、ルーティングシステム２４には、
・送信認可されるべき電話番号と、
・暗証番号（併せて利用する場合）と
が予め登録されている。この電話番号と暗証番号も送信先のパソコン等の端末から設定・登録され得るのが好ましい。
【００３６】
図６は、ＮＴＴコミュニケーションズ株式会社の提供するサービスである“フリーダイヤルインテリジェントサービス”のルーティング機能を利用する場合で、ルーティングシステム２４において、送信認可を電話番号と暗証番号とによるルーティング機能で行う処理のフローチャートである。まず、ルーティングシステム２４がファクシミリ通信データを受け取れば（Ｓ３２）、登録された電話番号であるか否かを確認する（Ｓ３４）。登録されていない電話番号であれば（Ｓ３４・Ｎｏ）、“エラー通信出力ＦＡＸ”へ送信されるように“ルーティング”される（Ｓ３６）。
【００３７】
この“エラー通信出力ＦＡＸ”のファクシミリ機は適宜送信先に設定されており、外部公衆回線及びルーティングシステム２４と繋がっている。
【００３８】
登録されている電話番号であれば（Ｓ３４・Ｙｅｓ）、ルーティングシステム２４は、送信先（宛先）を示す音声メッセージと共に、暗証番号の入力を促す音声メッセージを送信元ファクシミリ機４に返信する（Ｓ３８）。例えば「はい、ＸＹＺ製薬です。暗証番号入力後、＃を押して下さい。」というような内容である。なお、送信元のファクシミリ機操作者は、この送信先を示す音声メッセージの返信により送信先が正しいか否かを実データ送信直前に（Ｓ４６参照）確認できる。
【００３９】
ルーティングシステム２４は、暗証番号を受け取ると（Ｓ４０・Ｙｅｓ）、登録された電話番号に対応する暗証番号であるかを確認する（Ｓ４２）。対応しないものであれば（Ｓ４２・Ｎｏ）、“エラー通信出力ＦＡＸ”へ送信されるように“ルーティング”される（Ｓ３６）。暗証番号が誤入力されることを考慮して、従来技術のように暗証番号入力の数回のリトライを許容するものであってもよい。
【００４０】
対応するものであれば（Ｓ４２・Ｙｅｓ）、ルーティングシステム２４は、スタート指示を促す音声メッセージを送信元ファクシミリ機４に返信する（Ｓ４４）。例えば「発信音の後、スタートボタンを押して下さい。」というようなものである。ルーティングシステム２４は、スタート指示データを受け取ると（Ｓ４６・Ｙｅｓ）、ファクシミリ通信データをＦＡＸサーバ８に送信するように“ルーティング”する。
【００４１】
受注会社内のマルチビジネスシステム（ＰＢＸ）を用いたルーティング機能等を利用する場合は、図６のフローチャートにおいて、Ｓ３４で登録された電話番号であるか否かを確認してＹＥＳの場合は、そのままＦＡＸサーバ８へ送信することもできる。
【００４２】
ＦＡＸサーバ８が、ファクシミリ通信データを受け取った以降は、第１の実施形態における、図３の処理と同じ処理が行われればよい。
【００４３】
ただし、電話番号による認証は、上記のルーティングシステム２４において済まされていると考えれば、第１の対応テーブル２０においてＴＳＩ信号が存在するか否かのみが確認されればよいことになる。このとき、図７に示す処理のフローチャートに従えばよい。
【００４４】
図７では、ＦＡＸサーバ８がファクシミリ通信データを受信すれば（Ｓ６２）、そのファクシミリ通信データに標準的に包含されるＴＳＩ信号が確認される（Ｓ６４）。ＦＡＸサーバ８は、このＴＳＩ信号が第１の対応テーブル２０内に存在するか否かを確認する（Ｓ６６）。存在しなければ（Ｓ６６・Ｎｏ）、対象外のファクシミリからのデータであることを示すエラーコードを付与して（Ｓ６８）、ＬＡＮ１６へ送信する（Ｓ７２）。
【００４５】
存在するのであれば（Ｓ６６・Ｙｅｓ）、データの送信元が正しいことを認証するデータを、ファクシミリ通信データに付与して（Ｓ７０）、ＬＡＮ１６へ送信する（Ｓ７２）。
【００４６】
第２の実施形態においても、ＦＡＸサーバ８のＯＣＲ機能によるテキストデータの変換は、図３又は図７の処理の前に為されても、後に為されてもいずれでもよい。また、やはり第１の対応テーブル２０は予め作成されており、ＬＡＮ１６に接続するパソコン１０から、内容を更新（登録、修正、削除など）できるのが好ましい。
【００４７】
第２の実施形態に係るファクシミリ通信システムでは、電話番号、ＴＳＩ信号に加えて、暗証番号により、送信先に取り込まれるべきデータか否かが認証されるから、例えば、ファクシミリ通信データを発信するはずの無い人物、即ち暗証番号を知らない人物による発信データが、取り込まれることが防がれる。
【００４８】
また、第２の実施形態に係るファクシミリ通信システムのルーティングシステムにて、暗証番号による認証（チェック）を省くように構成することもできる。そのように省く構成にしたとしても、電話番号及びＴＳＩ信号による認証（チェック）が組み込まれているのであるから、第１の実施形態と略同レベルの確実性・厳密性・機密性（排他性）は確保される。
【図面の簡単な説明】
【００４９】
【図１】本発明の第１の実施形態におけるファクシミリ通信データと第１の対応テーブルとの関連を示す模式図である。
【図２】本発明の第１の実施形態に係るファクシミリ通信システムの全体の概要を表すブロック図である。
【図３】本発明の第１の実施形態におけるＦＡＸサーバでの送信認可の処理を表す概略のフローチャートである。
【図４】本発明の第２の実施形態における、ファクシミリ通信データ、ルーティングシステム、ＦＡＸサーバ、及び第１の対応テーブルの関連を示す模式図である。
【図５】本発明の第２の実施形態に係るファクシミリ通信システムの全体の概要を表すブロック図である。
【図６】本発明の第２の実施形態のルーティングシステムにおいて送信認可を電話番号と暗証番号とによるルーティング機能で行う処理のフローチャートである。
【図７】本発明の第２の実施形態におけるＦＡＸサーバでの送信認可の処理を表す概略のフローチャートの別の例である。
【符号の説明】
【００５０】
２・・・ファクシミリ通信システム、４・・・ファクシミリ機、６・・・公衆回線、８ＦＡＸサーバ、１０・・・パソコン、１２・・・データベース（ＤＢ）サーバ、１４・・・プリンタ、２０・・・第１の対応テーブル、２４・・・ルーティングシステム。
【図１】
2005278142.tif 000003
【図２】
2005278142.tif 000004
【図３】
2005278142.tif 000005
【図４】
2005278142.tif 000006
【図５】
2005278142.tif 000007
【図６】
2005278142.tif 000008
【図７】
2005278142.tif 000009